(57)【特許請求の範囲】
【請求項１】
左右の出力ユニットを有するヘッドホンと、
前記左右の出力ユニットにそれぞれ取り付けられた左右のマイクと、
左右の前記出力ユニットから出力された音を左右の前記マイクでそれぞれ収音することで、左右のヘッドホン伝達特性をそれぞれ測定する測定部と、
周波数領域において、左右の前記ヘッドホン伝達特性の逆フィルタをそれぞれ算出する逆フィルタ算出部と、
周波数領域において、前記逆フィルタを補正して補正フィルタを算出する補正部と、
再生信号に対して、空間音響伝達特性を用いて畳み込み処理を行う畳み込み演算部と、
前記畳み込み演算部で畳み込み処理された前記再生信号に対して、前記補正フィルタを用いて畳み込み処理を行うフィルタ部と、
複数の補正パターンの中から最適な補正パターンを選択するためのユーザ入力を受け付ける入力部と、を備え、
前記ヘッドホンは、前記補正フィルタが畳み込まれた前記再生信号を出力し、
前記補正部は前記逆フィルタを、
第１の帯域では、予め設定された補正関数を用いて補正し、
前記第１の帯域よりも高い第２の帯域では、前記ユーザ入力によって選択された補正パターンに応じて補正し、
前記第２の帯域よりも高い第３の帯域では、前記補正フィルタを所定値に補正する頭外定位処理装置。
【請求項２】
前記補正部は、前記第２の帯域において、前記ヘッドホン伝達特性又は前記逆フィルタの左右の相関係数が所定のしきい値以上である場合に、左右同じ補正パターンを選択する請求項１に記載の頭外定位処理装置。
【請求項３】
前記複数の補正パターンは、
前記第２の帯域において、前記逆フィルタを前記補正フィルタにする第１の補正パターンと、
前記第２の帯域において、前記補正フィルタを一定の値に設定する第２の補正パターンと、
前記第２の帯域において、前記逆フィルタを増幅又は減衰させて、前記補正フィルタに設定する第３の補正パターンと、を含む請求項１、又は２に記載の頭外定位処理装置。
【請求項４】
左右の出力ユニットを有するヘッドホンと、
前記左右の出力ユニットにそれぞれ取り付けられた左右のマイクと、
複数の補正パターンの中から最適な補正パターンを選択するためのユーザ入力を受け付ける入力部と、を備えた頭外定位処理装置を用いた頭外定位処理方法であって、
左右の前記出力ユニットから出力された音を左右の前記マイクでそれぞれ収音することで、左右のヘッドホン伝達特性をそれぞれ測定するステップと、
周波数領域において、左右の前記ヘッドホン伝達特性の逆フィルタをそれぞれ算出するステップと、
周波数領域において、前記逆フィルタを複数の補正パターンにより補正して、前記複数の補正パターンに対応する複数の補正フィルタを生成するステップと、
前記ユーザ入力に応じて、前記複数の補正パターンの中から最適な補正パターンを選択するステップと、
再生信号に対して、空間音響伝達特性を用いて畳み込み処理を行う畳み込みステップと、
空間音響伝達特性が畳み込まれた前記再生信号に対して、前記補正フィルタを用いて畳み込み処理を行うステップと、
前記補正フィルタが畳み込まれた前記再生信号を前記ヘッドホンから出力するステップと、を備え、
前記補正フィルタを生成するステップにおいて前記逆フィルタを、
第１の帯域では、予め設定された補正関数を用いて補正し、
前記第１の帯域よりも高い第２の帯域では、前記ユーザ入力によって選択された補正パターンに応じて補正し、
前記第２の帯域よりも高い第３の帯域では、前記補正フィルタを所定値に補正する頭外定位処理方法。
【請求項５】
前記第２の帯域において、前記ヘッドホン伝達特性又は前記逆フィルタの左右の相関係数が所定のしきい値以上である場合に、左右同じ補正パターンを選択する請求項４に記載の頭外定位処理方法。
【請求項６】
前記複数の補正パターンは、
前記第２の帯域において、前記逆フィルタを前記補正フィルタにする第１の補正パターンと、
前記第２の帯域において、前記補正フィルタを一定の値に設定する第２の補正パターンと、
前記第２の帯域において、前記逆フィルタを増幅又は減衰させて、前記補正フィルタに設定する第３の補正パターンと、を含む請求項４、又は５に記載の頭外定位処理方法。
【発明の詳細な説明】
【技術分野】
【０００１】
本発明は、頭外定位処理装置、及び頭外定位処理方法に関する。
【背景技術】
【０００２】
音場再生技術の一つとして、ヘッドホンで再生していながら、あたかもスピーカで再生しているかのような音場を生成する「頭外定位ヘッドホン技術」がある。頭外定位ヘッドホン技術では、例えば、聴取者の頭部伝達特性（前面に配置された２ｃｈの仮想スピーカから左右それぞれの耳までの空間伝達特性）及び外耳道伝達特性（ヘッドホンの左右の振動板からそれぞれの外耳道内での伝達特性）を用いている。
【０００３】
頭外定位再生においては、２チャンネル（以下、ｃｈと記載）のスピーカから発した測定信号（インパルス音等）を聴取者本人の耳に設置したマイクで録音する。そして、インパルス応答から頭部伝達特性を算出して、フィルタを作成する。作成したフィルタを２ｃｈの音楽信号に畳み込むことにより、頭外定位再生を実現することができる。
【０００４】
受聴者の耳（外耳道入口が望ましい）にマイクを設置することで、正確に特性を測定することができる。しかしながら、受聴者の外耳道入口にマイクを設置した上での測定は煩雑である。そこで、特許文献１には、マイクを内蔵したヘッドホンによって、伝達特性を測定する方法が開示されている。
【０００５】
特許文献１では、適応信号処理を用いて、ヘッドホンの内側に付けられたマイクロホン信号が所望の特性になるよう逐次係数更新している。こうすることで、所望の目標特性を得ることができる。なお、目標特性とは、例えば、ユーザの前方にセンター音源を置いたときの両耳元の伝達特性である。
【先行技術文献】
【特許文献】
【０００６】
【特許文献１】特開２００２−１３５８９８号公報
【発明の概要】
【発明が解決しようとする課題】
【０００７】
特許文献１の段落００５９に記載された式（６）が成立するためには、ヘッドホンに取り付けられたマイクロホンの設置位置が重要となる。具体的には、左右のマイクロホンが受聴者あるいは受聴者を想定したダミーヘッドの耳元に取り付けられたマイクロホンが同じ位置にある必要がある。しかしながら、様々な形をした受聴者の頭部をダミーヘッドと同じ形状にすることはできず、マイクロホンの位置ずれは避けられない。ヘッドホンに取り付けられたマイクロホンを、確実に耳元に位置させることは困難であり、受聴者に応じて位置ずれが生じてしまう。
【０００８】
受聴者が実際に聴いている音は鼓膜で受音されており、外耳道を伝わる音の振動を１次振動とすると外耳道入口での受音信号がより正確であると考えられる。したがって特許文献１に記載の目標特性は、ヘッドホンに取り付け可能なマイクロホンの位置における受音信号であるから、正確さに欠ける。また適応制御は処理コストが高く、もっと安価で、簡単な仕組みで達成できるものが期待されている。
【０００９】
本発明は上記の点に鑑みなされたもので、ヘッドホンに取り付けられたマイクを用いた場合でも、適切に頭外定位処理することができる頭外定位処理装置、及び頭外定位処理方法を提供することを目的とする。
【課題を解決するための手段】
【００１０】
本発明の一態様にかかる頭外定位処理装置は、左右の出力ユニットを有するヘッドホンと、前記左右の出力ユニットにそれぞれ取り付けられた左右のマイクと、左右の前記出力ユニットから出力された音を左右の前記マイクでそれぞれ収音することで、左右のヘッドホン伝達特性をそれぞれ測定する測定部と、周波数領域において、左右の前記ヘッドホン伝達特性の逆フィルタをそれぞれ算出する逆フィルタ算出部と、周波数領域において、前記逆フィルタを補正して補正フィルタを算出する補正部と、再生信号に対して、空間音響伝達特性を用いて畳み込み処理を行う畳み込み演算部と、前記畳み込み演算部で畳み込み処理された前記再生信号に対して、前記補正フィルタを用いて畳み込み処理を行うフィルタ部と、複数の補正パターンの中から最適な補正パターンを選択するためのユーザ入力を受け付ける入力部と、を備え、前記ヘッドホンは、前記補正フィルタが畳み込まれた前記再生信号を出力し、前記補正部は前記逆フィルタを、第１の帯域では、予め設定された補正関数を用いて補正し、前記第１の帯域よりも高い第２の帯域では、前記ユーザ入力によって選択された補正パターンに応じて補正し、前記第２の帯域よりも高い第３の帯域では、前記補正フィルタを所定値に補正するものである。
【００１１】
本実施の形態にかかる頭外定位処理方法は、左右の出力ユニットを有するヘッドホンと、前記左右の出力ユニットにそれぞれ取り付けられた左右のマイクと、複数の補正パターンの中から最適な補正パターンを選択するためのユーザ入力を受け付ける入力部と、を備えた頭外定位処理装置を用いた頭外定位処理方法であって、左右の前記出力ユニットから出力された音を左右の前記マイクでそれぞれ収音することで、左右のヘッドホン伝達特性をそれぞれ測定するステップと、周波数領域において、左右の前記ヘッドホン伝達特性の逆フィルタをそれぞれ算出するステップと、周波数領域において、前記逆フィルタを複数の補正パターンにより補正して、前記複数の補正パターンに対応する複数の補正フィルタを生成するステップと、前記ユーザ入力に応じて、前記複数の補正パターンの中から最適な補正パターンを選択するステップと、再生信号に対して、空間音響伝達特性を用いて畳み込み処理を行う畳み込みステップと、空間音響伝達特性が畳み込まれた前記再生信号に対して、前記補正フィルタを用いて畳み込み処理を行うステップと、前記補正フィルタが畳み込まれた前記再生信号を前記ヘッドホンから出力するステップと、を備え、前記補正フィルタを生成するステップにおいて前記逆フィルタを、第１の帯域では、予め設定された補正関数を用いて補正し、前記第１の帯域よりも高い第２の帯域では、前記ユーザ入力によって選択された補正パターンに応じて補正し、前記第２の帯域よりも高い第３の帯域では、前記補正フィルタを所定値に補正するものである。
【発明の効果】
【００１２】
本発明によれば、ヘッドホンに取り付けられたマイクを用いた場合でも、適切に頭外定位処理することができる頭外定位処理装置、及び頭外定位処理方法を提供することができる。
【図面の簡単な説明】
【００１３】
【図１】本実施の形態に係る頭外定位処理装置を示すブロック図である。
【図２】ヘッドホン伝達特性を測定するための構成を示す図である。
【図３】左耳での耳元マイク特性の測定結果を示す図である。
【図４】右耳での耳元マイク特性の測定結果を示す図である。
【図５】左耳での内蔵マイク特性の測定結果を示す図である。
【図６】右耳での内蔵マイク特性の測定結果を示す図である。
【図７】第２の帯域での周波数振幅特性のパターン（１）を示す図である。
【図８】第２の帯域での周波数振幅特性のパターン（４）を示す図である。
【図９】第２の帯域での周波数振幅特性のパターン（３）を示す図である。
【図１０】左耳の乗算フィルタの周波数振幅特性を示す図である。
【図１１】右耳の乗算フィルタの周波数振幅特性を示す図である。
【図１２】頭外定位処理方法を示すフローチャートである。
【図１３】補正フィルタの生成ステップの詳細を示すフローチャートである。
【図１４】補正パターンの選択ステップの詳細を示すフローチャートである。
【図１５】左右の相関係数が高い場合の周波数振幅特性を示す図である。
【図１６】左右の相関係数が低い場合の周波数振幅特性を示す図である。
【図１７】補正部の一例を示すブロック図である。
【発明を実施するための形態】
【００１４】
（概要）
本実施の形態にかかる頭外定位処理の概要について説明する。
本実施形態にかかる頭外定位処理は、空間音響伝達特性（空間音響伝達関数ともいう）、及び外耳道伝達特性（外耳道伝達関数ともいう）を用いて頭外定位処理を行うものである。本実施形態では、スピーカから聴取者の耳までの空間音響伝達特性、及びヘッドホンを装着した状態での外耳道伝達特性を用いて頭外定位処理を実現している。
【００１５】
空間音響伝達特性としては、受聴者本人の外耳道入口において測定した受音信号を用いることが好ましい。しかしながら、受聴者本人の外耳道入口にマイクロホン（以下、マイクとする）を設置した上での測定は煩雑である。このため、本実施形態では、予めプリセットされた特性から、受聴者が受聴者本人に適しているものを選択する。空間音響伝達特性は、ステレオスピーカから両耳までの伝達特性を含んでいる。
【００１６】
具体的には、空間音響伝達特性は、左スピーカから左耳外耳道入口までの伝達特性Ｌｓ、左スピーカから右耳外耳道入口までの伝達特性Ｌｏ、右スピーカから左耳までの伝達特性Ｒｏ、右スピーカから右耳外耳道入口までの伝達特性Ｒｓを含んでいる。そして、予め複数の受聴者、あるいはダミーヘッドの外耳道入口で伝達特性を測定して、統計解析などにより複数セットにカテゴライズしておく。空間音響伝達特性の各セットには、４つの伝達特性Ｌｓ、Ｌｏ、Ｒｏ、Ｒｓが含まれている。空間音響伝達特性を複数セット用意し、受聴者がこれら適切なものを選択することで、空間音響伝達特性を設定する。そして、４つの伝達特性を用いて、頭外定位処理装置が畳み込み処理を行っている。
【００１７】
外耳道伝達特性は、本来、外耳道入口に設置したマイクで測定したヘッドホン伝達特性（以下、耳元マイク特性とする）を用いることが望ましい。しかしながら、受聴者本人の外耳道入口にマイクを設置した上での測定は煩雑である。したがって、本実施の形態では、受聴者本人の外耳道入口に設置したマイクで測定した耳元マイク特性ではなく、ヘッドホンに内蔵したマイクで測定したヘッドホン伝達特性（以下、内蔵マイク特性）を用いている。
【００１８】
本実施形態では、ヘッドホン内蔵マイクで測定した内蔵マイク特性の逆フィルタを補正している。そして、内蔵マイク特性の逆フィルタを補正した補正フィルタを用いて、畳み込み処理を実行している。
【００１９】
例えば、耳元マイク特性をＡ、内蔵マイク特性をＢとする。頭外定位処理で必要な特性は、耳元マイク特性Ａの逆フィルタ（１／Ａ）である。しかしながら、外耳道入口にマイクを設置しないで耳元マイク特性Ａを測定することはできない。そのため、本実施の形態では、ヘッドホンに内蔵されたマイクで内蔵マイク特性Ｂが測定される。
【００２０】
ここで、ヘッドホンに対して、ＡとＢとの関係性が予め分かっていれば、逆フィルタ（１／Ａ）を求めることができる。例えば、測定した内蔵マイク特性Ｂの逆フィルタ（１／Ｂ）に（Ｂ／Ａ）を乗算することで、逆フィルタ（１／Ａ）を得ることができる。ここで、（Ｂ／Ａ）はヘッドホン固有のフィルタである。（Ｂ／Ａ）を乗算フィルタとする。本実施の形態では、内蔵マイク特性Ｂの逆フィルタ（１／Ｂ）を耳元マイク特性Ａの逆フィルタ（１／Ａ）に近づけるよう、逆フィルタ（１／Ｂ）が補正される。
【００２１】
ある帯域では、乗算フィルタ（Ｂ／Ａ）は人によらず一様になり、別の帯域では、個人差がある。したがって、複数の帯域に分けて、帯域毎に逆フィルタ（１／Ｂ）の補正方法を変えている。
【００２２】
本実施の形態では逆フィルタ（１／Ｂ）から補正フィルタを求める場合において、帯域毎に各周波数の振幅値（以下、周波数振幅値と記載）を操作している。逆フィルタ（１／Ｂ）の周波数振幅値を増幅又は減衰させることで、補正フィルタを生成している。
【００２３】
さらに、本実施の形態では、ユーザが聴感試験を行っている。そして、聴感試験の結果に応じて、複数の補正パターンの中から、ユーザが最適な補正パターンを選択している。選択された最適な補正パターンに対応する補正フィルタが用いられる。
【００２４】
また、ユーザの内蔵マイク特性Ｂの左右の相関に応じて、左右の補正パターンを決定している。具体的には、内蔵マイク特性Ｂの周波数振幅特性の相関係数を求めている。相関係数がしきい値以上の場合は、左右の逆フィルタにおいて同じ補正パターンで補正している。相関係数がしきい値よりも小さい場合は、左右の逆フィルタにおいて異なる補正パターンを選択できるようにしている。
【００２５】
本実施の形態にかかる頭外定位処理装置は、パーソナルコンピュータなどの情報処理装置を有しており、具体的には、プロセッサ等の処理手段、メモリやハードディスクなどの記憶手段、液晶モニタ等の表示手段、タッチパネル、ボタン、キーボード、マウスなどの入力手段、ヘッドホン又はイヤホンを有する出力手段を備えている。あるいは、頭外定位処理装置は、スマートホンやタブレットＰＣであってもよい。
【００２６】
（頭外定位処理装置）
本実施の形態にかかる頭外定位処理装置、及びその処理方法について、図１〜図２を用いて説明する。図１は、頭外定位処理装置１００の構成を示すブロック図である。図２は、内蔵マイク特性Ｂを測定するための構成を示す図である。
【００２７】
頭外定位処理装置１００は、ヘッドホン４３を装着するユーザＵに対して音場を再生する。そのため、頭外定位処理装置１００は、左チャンネル（以下Ｌｃｈと記載する）と右チャンネル（以下Ｒｃｈと記載する）のステレオ入力信号ＸＬ、ＸＲについて、頭外定位処理を行う。ＬｃｈとＲｃｈのステレオ入力信号ＸＬ、ＸＲは、ＣＤ（Compact Disc）プレーヤなどから出力される音楽再生信号である。なお、頭外定位処理装置１００は、物理的に単一な装置に限られるものではなく、一部の処理が異なる装置で行われてもよい。例えば、一部の処理がパソコンなどにより行われ、残りの処理がヘッドホン４３に内蔵されたＤＳＰ(Digital Signal Processor)などにより行われてもよい。
【００２８】
図１に示すように、頭外定位処理装置１００は、頭外定位処理部１０と、入力部３１、逆フィルタ算出部３２、補正部３３、表示部３４、測定部３５、フィルタ部４１、フィルタ部４２、及びヘッドホン４３を備えている。
【００２９】
頭外定位処理部１０は、畳み込み演算部１１、１２、２１、２２を備えている。畳み込み演算部１１、１２、２１、２２は、空間音響伝達特性を用いた畳み込み処理を行う。頭外定位処理部１０には、ＣＤプレーヤなどからのステレオ入力信号ＸＬ、ＸＲが入力される。頭外定位処理部１０には、空間音響伝達特性が設定されている。頭外定位処理部１０は、各チャンネルのステレオ入力信号ＸＬ、ＸＲに対し、空間音響伝達特性を畳み込む。
【００３０】
例えば、ユーザＵが、プリセットされた複数の空間音響伝達特性の中から最適な空間音響伝達特性を選択する。空間音響伝達特性は、左スピーカから左耳外耳道入口までの伝達特性Ｌｓ、左スピーカから右耳外耳道入口までの伝達特性Ｌｏ、右スピーカから左耳までの伝達特性Ｒｏ、右スピーカから右耳外耳道入口までの伝達特性Ｒｓを含んでいる。すなわち、空間音響伝達特性は、４つの伝達特性Ｌｓ、Ｌｏ、Ｒｏ、Ｒｓを有している。
【００３１】
そして、畳み込み演算部１１は、Ｌｃｈのステレオ入力信号ＸＬに対して伝達特性Ｌｓを畳み込む。畳み込み演算部１１は、畳み込み演算データを加算器２４に出力する。畳み込み演算部２１は、Ｒｃｈのステレオ入力信号ＸＲに対して伝達特性Ｒｏを畳み込む。畳み込み演算部２１は、畳み込み演算データを加算器２４に出力する。加算器２４は２つの畳み込み演算データを加算して、フィルタ部４１に出力する。
【００３２】
畳み込み演算部１２は、Ｌｃｈのステレオ入力信号ＸＬに対して伝達特性Ｌｏを畳み込む。畳み込み演算部１２は、畳み込み演算データを、加算器２５に出力する。畳み込み演算部２２は、Ｒｃｈのステレオ入力信号ＸＲに対して伝達特性Ｒｓを畳み込む。畳み込み演算部２２は、畳み込み演算データを、加算器２５に出力する。加算器２５は２つの畳み込み演算データを加算して、フィルタ部４２に出力する。
【００３３】
フィルタ部４１、４２には補正フィルタが設定されている。補正フィルタは、後述するように、補正部３３で生成されている。すなわち、フィルタ部４１、４２は、補正部３３で生成された補正フィルタを記憶している。
【００３４】
フィルタ部４１、４２は、頭外定位処理部１０での処理が施された再生信号に補正フィルタを畳み込む。フィルタ部４１で加算器２４からのＬｃｈ信号に対して、補正フィルタを畳み込む。フィルタ部４１で補正フィルタが畳み込まれたＬｃｈ信号は、ヘッドホン４３の左の出力ユニット４３Ｌに出力される。同様に、フィルタ部４２は加算器２５からのＲｃｈ信号に対して補正フィルタを畳み込む。フィルタ部４２で補正フィルタが畳み込まれたＲｃｈ信号は、ヘッドホン４３の右の出力ユニット４３Ｒに出力される。
【００３５】
ヘッドホン４３の左の出力ユニット４３Ｌは、補正フィルタが畳み込まれたＬｃｈ信号をユーザＵの左耳に向けて出力する。ヘッドホン４３の右の出力ユニット４３Ｒは、補正フィルタが畳み込まれたＲｃｈ信号をユーザＵの右耳に向けて出力する。補正フィルタは、ヘッドホン４３を装着した場合に、ユーザ各人の外耳道入口とヘッドホンのスピーカユニットとの間の伝達特性をキャンセルする。このようにすることで、ヘッドホン４３のヘッドホン伝達特性が補正（キャンセル）される。これにより、ユーザＵが受聴する音の音像は、ユーザＵの頭外に定位される。
【００３６】
表示部３４は、液晶モニタなどの表示デバイスを備えている。表示部３４は、補正フィルタを設定するための設定画面等を表示する。
【００３７】
入力部３１は、タッチパネル、ボタン、キーボード、マウスなどの入力デバイスを有しており、ユーザＵからの入力を受け付ける。具体的には、入力部３１は、補正フィルタを設定するため、設定画面上での入力を受け付ける。
【００３８】
本実施の形態では、補正フィルタがヘッドホン４３を用いた測定結果に基づいて、生成されている。以下、補正フィルタを生成するための測定について説明する。
【００３９】
ヘッドホン４３は、図２に示すように、左右の出力ユニット４３Ｌ、４３Ｒを備えている。出力ユニット４３Ｌ、４３Ｒはそれぞれスピーカユニットを有している。さらに、左右の出力ユニット４３Ｌ、４３Ｒには、それぞれ収音用のマイク２Ｌ、２Ｒが取り付けられている。具体的には、出力ユニット４３Ｌ、４３Ｒは、それぞれスピーカを有しており、マイク２Ｌ、２Ｒはスピーカ中央よりも少し下に設置されている。ヘッドホン４３の出力ユニット４３Ｌ、４３Ｒのヘッドホン端子は、ステレオオーディオ出力端子に接続される。マイク２Ｌ、２Ｒは、ステレオマイク入力端子に接続される。マイク２Ｌは、出力ユニット４３Ｌから出力される音を収音する。マイク２Ｒは、出力ユニット４３Ｒから出力される音を収音する。
【００４０】
このように、左右の出力ユニット４３Ｌ、４３Ｒから出力された音を左右のマイク２Ｌ、２Ｒがそれぞれ収音する。ここでは、左右の出力ユニット４３Ｌ、４３Ｒとマイク２Ｌ、２Ｒを用いて、インパルス応答測定が行われる。マイク２Ｌ、２Ｒで収音された収音信号は測定部３５に出力される。測定部３５は、マイク２Ｌ、２Ｒで収音された収音信号に基づいて、左右の内蔵マイク特性Ｂをそれぞれ測定する。図１に示すように、測定部３５は、測定した内蔵マイク特性Ｂを逆フィルタ算出部３２に出力する。
【００４１】
逆フィルタ算出部３２は、測定部３５で測定した内蔵マイク特性Ｂの逆特性を逆フィルタ（１／Ｂ）として算出する。逆フィルタ算出部３２はマイク２Ｌで収音した収音信号に基づいて、左の逆フィルタを算出する。逆フィルタ算出部３２はマイク２Ｒで収音した収音信号に基づいて、右の逆フィルタを算出する。このように、逆フィルタ算出部３２は、左右の逆フィルタを算出する。
【００４２】
上記したように、外耳道入口とヘッドホンのスピーカユニットとの間の伝達特性をキャンセルするためには、マイク２Ｌ、２Ｒを外耳道入口に設置することが好ましい。しかしながら、ヘッドホン４３に内蔵されたマイク２Ｌ、２Ｒを用いた場合、外耳道入口にマイク２Ｌ、２Ｒを設置することは困難である。そのため、本実施の形態では、内蔵マイク特性の測定結果に基づいて耳元マイク特性の逆フィルタを求めるよう、内蔵マイク特性の逆フィルタを補正している。
【００４３】
補正フィルタの役割は、外耳道入口において、周波数振幅特性を平坦にすることになる。すなわち、ヘッドホン伝達特性を打ち消して、目標特性（具体的には、頭部伝達関数ＨＲＴＦ、自由空間伝達関数）を与えることにある。
【００４４】
（周波数振幅特性）
内蔵マイク特性Ｂの逆フィルタ（１／Ｂ）の補正について、以下、データを用いて説明する。
【００４５】
図３、図４は、それぞれ左右の耳元に設置したマイクで測定した耳元マイク特性Ａを示す。また、図５、図６は、ヘッドホン４３に内蔵したマイク２Ｌ、２Ｒで測定した内蔵マイク特性Ｂを示す。図３〜図６は、同じヘッドホン４３を装着した状態で測定された周波数振幅特性である。そして、図３、図４の測定結果と、図５、図６の測定結果では、マイクの設置位置のみが異なっている。なお、図３、図５は左耳側の周波数振幅特性であり、図４、図６は、右耳側の周波数振幅特性である。ここでは、図３〜図６は、同じ８名の受聴者の測定結果を示している。
【００４６】
図３〜図６の測定結果においては、５ｋＨｚまでは、人によらず、一様な周波数振幅特性を示している（図３〜図６中の帯域Ｄ参照）。すなわち、５ｋＨｚまでの左耳の内蔵マイク特性Ｂは、人によらず一様となっており、５ｋＨｚまでの右耳の内蔵マイク特性Ｂは、人によらず一様となっている。同様に、５ｋＨｚまでの左耳の耳元マイク特性Ａは、人によらず一様となっており、５ｋＨｚまでの右耳の耳元マイク特性Ａは、人によらず一様となっている。なお、マイクの設置位置が異なるため、内蔵マイク特性Ｂと耳元マイク特性Ａは同じとはなっていない。測定で用いたヘッドホン４３では５ｋＨｚまでが一様の特性となっているが、内蔵マイク特性Ｂ、耳元マイク特性Ａとも、一様の特性となる周波数範囲は、ヘッドホン４３の形状に応じて変化する。すなわち、一様の特性となる周波数範囲は、ヘッドホン４３の形状毎に定まる範囲である。
【００４７】
一方、５ｋＨｚ以上では、内蔵マイク特性Ｂ、及び耳元マイク特性Ａとも個人差がある。すなわち、５ｋＨｚ以上の内蔵マイク特性Ｂは、人によって、異なる特性となっている。同様に、５ｋＨｚ以上の耳元マイク特性Ａは、人によって、異なる特性となっている。
【００４８】
ここで、約５ｋＨｚ〜約１２ｋＨｚの耳元マイク特性の逆フィルタと、内蔵マイク特性の逆フィルタとを比較したところ、次に列挙するパターンの特徴がある。
（１）周波数振幅特性の形、レベルが似ている。
（２）周波数振幅特性の形は似ているが、内蔵マイク特性の逆フィルタが、耳元マイク特性の逆フィルタよりも１０ｄＢ程度低い。
（３）内蔵マイク特性の逆フィルタと耳元マイク特性の逆フィルタとがほぼ逆特性の関係になっている。
（４）周波数振幅特性の形は似ておらず、耳元マイク特性の逆フィルタがほぼ平坦になっている。
【００４９】
図７にパターン（１）での周波数振幅特性の一例を示す。図８に、パターン（４）での周波数振幅特性の一例を示す。図９に、パターン（３）での周波数振幅特性の一例を示す。
【００５０】
図７〜図９より、１２ｋＨｚ〜１４ｋＨｚでは、耳元マイク特性の逆フィルタは、約１０ｄＢ高いことがわかる。
【００５１】
測定部３５は、ヘッドホン４３に内蔵されたマイク２Ｌ、２Ｒを用いてユーザＵに対する内蔵マイク特性Ｂを測定する。そして、補正部３３は、内蔵マイク特性Ｂの逆フィルタ（１／Ｂ）にヘッドホン固有の乗算フィルタ（Ｂ／Ａ）を乗算することで、耳元マイク特性Ａの逆フィルタ（１／Ａ）を求めることができる。
【００５２】
図１０、図１１に乗算フィルタ（Ｂ／Ａ）を示す。図１０は左耳に対する乗算フィルタ（Ｂ／Ａ）であり、図１１は右耳に対する乗算フィルタ（Ｂ／Ａ）である。図１０、図１１は、図３〜図６に示す測定結果に基づいて計算されたものである。
【００５３】
実際には、マイク内蔵ヘッドホンを用いて耳元にマイクを設置することは困難であるため、乗算フィルタＡを測定することはできない。よって、補正部３３が、逆フィルタ（１／Ｂ）の振幅を操作することで、（１／Ａ）となるように逆フィルタ（１／Ｂ）を補正している。すなわち、補正部３３が、内蔵マイク特性Ｂの逆フィルタ（１／Ｂ）の周波数振幅値を増幅又は減衰させることで、補正フィルタを算出している。このように、帯域毎に補正方法を変えるのは、帯域毎に乗算フィルタ（Ｂ／Ａ）の特性に違いがみられるからである。逆フィルタ（１／Ｂ）の補正方法については、後述する。
【００５４】
（頭外定位処理方法）
次に、補正フィルタを用いた頭外定位処理方法について、図１２を用いて説明する。図１２は、補正フィルタを用いた頭外定位処理方法を示すフローチャートである。
【００５５】
まず、測定部３５が内蔵マイク特性Ｂを測定する（Ｓ１１）。測定部３５がインパルス応答測定により、ユーザＵの内蔵マイク特性Ｂを測定する。具体的には、ヘッドホン４３の左右の出力ユニット４３Ｌ、４３Ｒからインパルス音を出力して、マイク２Ｌ、２Ｒがインパルス音を収音する。なお、ヘッドホン４３が密閉型である場合、左右のインパルス音を同時に発生することにより、ユーザ１の内蔵マイク特性Ｂが得られる。ヘッドホン４３が開放型である場合、左の出力ユニット４３Ｌからの音が漏れて、右のマイク２Ｒで受音される場合がある。これをヘッドホン４３のクロストーク伝達特性とする。クロストーク伝達特性が、内蔵マイク特性Ｂよりも３０ｄＢ以上小さければ、クロストーク伝達特性を無視することができる。
【００５６】
ここでは測定部３５が時間領域の内蔵マイク特性Ｂを離散フーリエ変換（ＤＦＴ）して、周波数領域の内蔵マイク特性Ｂを算出する。これにより、周波数領域における振幅特性（振幅スペクトル）と位相特性（位相スペクトル）とを求めることができる。なお、本発明における周波数領域と時間領域との各変換処理は、ＤＦＴに限らず、ＦＦＴやＤＣＴ等、種々の変換処理を採用してもよい。
【００５７】
逆フィルタ算出部３２が内蔵マイク特性Ｂの逆フィルタ（１／Ｂ）を算出する（Ｓ１２）。具体的には、逆フィルタ算出部３２は、内蔵マイク特性Ｂの振幅特性の逆特性を逆フィルタ（１／Ｂ）として算出する。
【００５８】
次に、補正部３３は、逆フィルタ（１／Ｂ）を補正することで、補正フィルタを生成する（Ｓ１３）。ここでは、補正部３３には、複数の補正パターンが設定されている。そして、補正部３３は、複数の補正パターン毎に、補正フィルタを生成する。補正部３３は、左右それぞれの補正フィルタを生成する。例えば、第１〜第３の補正パターンがある場合、補正部３３は、左右それぞれに、３つの補正フィルタ、すなわち合計６つの補正フィルタを生成する。
【００５９】
具体的には、補正部３３は、逆フィルタ（１／Ｂ）の位相は変えずに、振幅を操作している。そして、補正部３３は、位相特性と、振幅が操作された振幅特性とを逆離散フーリエ変換（ＩＤＦＴ）することで、補正フィルタを算出している。なお、補正フィルタの生成方法の詳細については、後述する。
【００６０】
そして、ユーザＵが聴感試験を行って、最適な補正パターンを選択する（Ｓ１４）。例えば、第１〜第３の補正パターンの補正フィルタが畳み込まれた聴感試験用信号をそれぞれ受聴する。具体的には、フィルタ部４１、４２がホワイトノイズに第１〜第３の補正パターンでの補正フィルタを畳み込む。そして、ヘッドホン４３を用いて、補正フィルタが畳み込まれたホワイトノイズをユーザＵが受聴する。
【００６１】
ユーザＵがホワイトノイズの音質に基づいて、最適な補正パターンを選択する。ユーザに対する聴感試験を行った際のユーザ入力に応じて、最適な補正パターンが選択される。なお、補正フィルタの役割は、マイク位置において、周波数振幅特性を平坦にすることである。すなわち、補正フィルタの役割は、ヘッドホン伝達特性を打ち消して、目標特性（具体的には、頭部伝達関数ＨＲＴＦ、又は自由空間伝達関数）を与えることである。実際には人の耳は、等感曲線にしたがって聴こえることになるが、音質に癖がない（所定の周波数が突出していない）補正パターンを選択することが好ましい。なお、補正パターンの選択方法の詳細については後述する。
【００６２】
そして、ユーザが選択した補正パターンに応じた補正フィルタを用いて、畳み込む処理を実行する（Ｓ１５）。具体的には、畳み込み演算部２１が空間音響伝達特性（Ｌｓ、Ｌｏ、Ｒｏ、Ｒｓ）を用いて畳み込みを行うとともに、フィルタ部４１、４２が補正フィルタを用いて畳み込み処理を行う。これにより、再生信号に空間音響伝達特性と補正フィルタが畳み込まれるため、適切に頭外定位処理を行うことができる。
【００６３】
外耳道入口にマイクを設置する必要がないため、簡便に補正フィルタを算出することができる。すなわち、ヘッドホン４３に内蔵されたマイク２Ｌ、２Ｒで測定した内蔵マイク特性Ｂを用いて、逆フィルタ、及び補正フィルタを生成することができる。よって、ヘッドホン４３に取り付けられたマイク２Ｌ、２Ｒを用いた場合でも、適切に頭外定位処理することができる。換言すると、外耳道入口にマイクを設置する必要がないため、簡便に補正フィルタを生成することができる。また、特許文献１のように適応制御は行う必要がないため、低コスト化を図ることができる。
【００６４】
（補正フィルタと補正パターン）
上記したように、帯域毎に、耳元マイク特性Ａと内蔵マイク特性Ｂとの違いが異なっている。このため、帯域毎に、内蔵マイク特性Ｂの補正方法を変えている。例えば、５ｋＨｚまでの帯域（以下、第１の帯域）は、内蔵マイク特性Ｂの周波数振幅値を、全てのユーザに共通の補正関数で補正する。個人差の大きい、５ｋＨｚ〜１２ｋＨｚの帯域（以下、第２の帯域とする）では、パターン分けして補正する。例えば、ユーザが聴感試験に応じて、最適な補正パターンを選択する。１２ｋＨｚ〜１４ｋＨｚの帯域（以下、第３の帯域とする）では、一定の値（例えば１０ｄＢ）とする。なお、この一定の値は、ヘッドホン毎に定められる値である。また、１４ｋＨｚ以上の帯域（以下、第４の帯域）では、周波数振幅値を０ｄＢで一定としている。
【００６５】
第２の帯域では、複数の補正パターンにパターン分けされている。以下、補正パターンについて説明する。ここでは、第１〜第３の補正パターンに分ける例につい説明する。
【００６６】
第１の補正パターンは、内蔵マイク特性Ｂの逆フィルタ（１／Ｂ）をそのまま補正フィルタとして用いるものである。第１の補正パターンは、上記したパターン（１）に対応する。すなわち、パターン（１）では、周波数振幅特性の形、レベルが似ていることから、内蔵マイク特性Ｂの逆フィルタ（１／Ｂ）をそのまま補正フィルタとして利用することができる。
【００６７】
第２の補正パターンは、後述する具体的一例のように、補正フィルタの周波数振幅値を一定の値にするものである。ここでは、第２の帯域における周波数振幅値を０ｄＢとしている。なお、周波数振幅値は０ｄＢに限らず、任意の値であってもよい。
【００６８】
第３の補正パターンは、逆フィルタ（１／Ｂ）の周波数振幅値を増幅又は減衰させるものである。すなわち、補正部３３が、各帯域の周波数振幅値が連続するように逆フィルタ（１／Ｂ）の周波数振幅値をレベルシフトさせる。例えば、第２の帯域における逆フィルタ（１／Ｂ）の周波数振幅値を一定の値だけ増加、又は減少させて、補正フィルタの周波数振幅値とする。
【００６９】
上記のように、ユーザＵは、聴感試験を行って、第１〜第３の補正パターンから最適な補正パターンを選択する。そして、選択された補正パターンに応じた補正フィルタが再生信号に畳み込まれる。
【００７０】
以下、補正フィルタの生成方法の具体的一例について説明する。以下の説明では、第２の補正パターンが選択された場合の生成方法を示している。以下の説明において、ｉをＤＦＴの周波数インデックス、ｆｒｅｑ［ｉ］を周波数インデックスｉにおける周波数（Ｈｚ）、ｔｍｐ＿ｄＢ［ｉ］を周波数インデックスｉにおける補正フィルタの周波数における音圧レベル（ｄＢ）、ａｍｐ＿ｄＢ［ｉ］を測定した内蔵マイク特性の逆フィルタ（１／Ｂ）の周波数における音圧レベル（ｄＢ）とする。また、以下の補正例に示す数値、補正関数は、測定で用いたヘッドホンにおける一例であり、本発明は以下の具体的な数値、補正関数に限定されるものではない。
【００７１】
（Ｉ）内蔵マイク特性の低域周波数の位相が左右で、正負逆である場合、左右の位相値を揃える。本実施の形態では、ＤＦＴで分析できる最低周波数での左右の位相に応じて、左右の位相値を揃えている。
【００７２】
第１の帯域（最低周波数〜５ｋＨｚ）
（ＩＩ）最低周波数〜１ｋＨｚまでは、補正フィルタの周波数振幅値ｔｍｐ＿ｄＢ［ｉ］を一定値ａｍｐ１ｋ＿ｄＢに設定する。なお、一定値ａｍｐ１ｋ＿ｄＢは、１ｋＨｚにおける内蔵マイク特性の逆フィルタ（１／Ｂ）の周波数振幅値である。また、最低周波数は例えば１０Ｈｚである。
【００７３】
（ＩＩＩ）１ｋＨｚ〜２ｋＨｚの範囲では周波数振幅値を以下の補正式（１）で示す値に設定する。
ｔｍｐ＿ｄＢ［ｉ］
＝ａｍｐ＿ｄＢ［ｉ］＋ｆｒｅｑ［ｉ］＊（−０．００３５）＋３．５  ・・・（１）
【００７４】
（ＩＶ）２ｋＨｚ〜４ｋＨｚの範囲では、周波数振幅値を以下の補正式（２）で示す値に設定する。
ｔｍｐ＿ｄＢ［ｉ］
＝ａｍｐ＿ｄＢ［ｉ］＋ｆｒｅｑ［ｉ］＊（−０．００２）＋０．５  ・・・（２）
【００７５】
（Ｖ）４ｋＨｚ〜５ｋＨｚの範囲では、周波数振幅値を以下の補正式（３）で示す値に設定する。
ｔｍｐ＿ｄＢ［ｉ］
＝ａｍｐ＿ｄＢ［ｉ］＋ｆｒｅｑ［ｉ］＊（−３．５／８００）＋１０  ・・・（３）
【００７６】
第２の帯域（５ｋＨｚ〜１２ｋＨｚ）
（ＶＩ）第２の帯域では、ｔｍｐ＿ｄＢ［ｉ］を一定値に設定する。第２の帯域では、ｔｍｐ＿ｄＢ［ｉ］＝０ｄＢにしている。
【００７７】
第３の帯域（１２ｋＨｚ〜１４ｋＨｚ）
（ＶＩＩ）第３の帯域では、ｔｍｐ＿ｄＢ［ｉ］を一定値に設定する。第３の帯域では、ｔｍｐ＿ｄＢ［ｉ］＝１０ｄＢにしている。
【００７８】
第４の帯域（１４ｋＨｚ〜最高周波数）
（ＶＩＩＩ）第４の帯域では、ｔｍｐ＿ｄＢ［ｉ］を一定値に設定する。第４の帯域では、ｔｍｐ＿ｄＢ［ｉ］＝０ｄＢにしている。
【００７９】
以上のように、補正部３３は、逆フィルタ（１／Ｂ）に基づいて、補正フィルタを生成する。第１の帯域では、補正関数を用いて、内蔵マイク特性の周波数振幅値を、補正関数で補正する。補正関数は、ヘッドホン固有のものであり、全ユーザ共通とする。したがって、同じタイプ（形状）のヘッドホンであれば、同じ補正関数が設定される。第２の帯域では、補正パターンに応じた補正が行われる。第３の帯域、第４の帯域では、補正フィルタの周波数振幅値がそれぞれ一定値に設定される。
【００８０】
次に、図１３を用いて、補正フィルタを生成するステップ（Ｓ１３）について詳細に説明する。図１３は補正フィルタの生成ステップの詳細を示すフローチャートである。
【００８１】
まず、逆フィルタ（１／Ｂ）をＤＦＴ処理して、周波数領域の振幅特性と位相特性を算出する（Ｓ２１）。次に、第１の帯域（最低周波数〜５ｋＨｚ）における振幅操作を行う（Ｓ２２）。最低周波数は例えば、１０Ｈｚである。第１の帯域では、上記のように、全ユーザに共通する補正関数に応じて、周波数振幅値を増幅又は減衰する。なお、補正関数は、ヘッドホン毎に異なっている。すなわち、異なるタイプ（形状）のヘッドホンでは、異なる補正関数が用いられ、同じタイプ（形状）のヘッドホンでは同じ補正関数が用いられる。したがって、ヘッドホンのタイプ毎に補正関数を設定すればよい。なお、補正関数は、図１０に示すような周波数特性から直線又は任意の曲線を用いて近似式を算出すればよい。
【００８２】
次に、第１〜第３の補正パターンに応じて、第２の帯域（５ｋＨｚ〜１２ｋＨｚ）の振幅を操作する（Ｓ２３〜Ｓ２５）。第１の補正パターンでは、５ｋＨｚ〜１２ｋＨｚの補正フィルタの周波数振幅値を５〜１２ｋＨｚの内蔵マイク特性Ｂの逆フィルタ（１／Ｂ）に置き換える（Ｓ２３）。すなわち、内蔵マイク特性Ｂの逆フィルタ（１／Ｂ）の周波数振幅値がそのまま補正フィルタの周波数振幅値として用いられる。
【００８３】
第２の補正パターンでは、５ｋＨｚ〜１２ｋＨｚの周波数振幅値が０ｄＢと設定される（Ｓ２４）。第３の補正パターンでは、各帯域で周波数振幅値が連続するように、５ｋＨｚ〜１２ｋＨｚの逆フィルタ（１／Ｂ）の周波数振幅値をレベルシフトさせる（Ｓ２５）。例えば、逆フィルタ（１／Ｂ）の周波数振幅値を一定値だけ増幅又は減衰させて、補正フィルタの周波数振幅値とする。
【００８４】
次に、第３の帯域（１２ｋＨｚ〜１４ｋＨｚ）の周波数振幅値を１０ｄＢに設定する（Ｓ２６）。第４の帯域（１４ｋＨｚ〜最高周波数）の周波数振幅値を０ｄＢに設定する（Ｓ２７）。そして、逆離散フーリエ変換（ＩＤＦＴ）を行う（Ｓ２８）。これにより、補正パターン毎に、補正フィルタを求めることができる。なお、逆離散フーリエ変換に用いられる周波数位相特性は、逆フィルタ（１／Ｂ）の周波数位相特性をそのまま用いることができる。
【００８５】
図１３に示す処理を左右それぞれに対して実行することで、左右の補正フィルタが生成される。具体的には、左右のそれぞれに３つの補正パターンがあるため、補正部３３は、合計６つの補正フィルタが生成される。ここで、第１の補正パターンに対応する補正フィルタを第１の補正フィルタとする。第２の補正パターンに対応する補正フィルタを第２の補正フィルタとし、第３の補正パターンに対応する補正フィルタを第３の補正フィルタとする。
【００８６】
（補正パターンの選択）
次に、補正パターンの選択ステップの詳細について、図１４〜図１６を用いて説明する。図１４は、補正パターンの選択ステップの詳細を示すフローチャートである。図１５、図１６は、左右の内蔵マイク特性Ｂを示す図である。図１５は、左右の内蔵マイク特性Ｂの相関係数が高い場合の周波数振幅特性を示す図である。図１６は、左右の内蔵マイク特性Ｂの相関係数が低い場合の周波数振幅特性を示す図である。具体的には、図１５では相関係数が０．９１であり、図１６では相関係数が０．４１となっている。相関係数は、（左右の内蔵マイク特性の共分散）を（左右の内蔵マイク特性の標準偏差の積）で除した値となる。なお、左右の内蔵マイク特性Ｂの相関係数は、第２の帯域（図１５、図１６のＣ２の範囲）のみで算出すればよい。
【００８７】
本実施の形態では、左右の内蔵マイク特性Ｂの相関係数に応じて、左右の補正パターンの選択方法を変えている。具体的には、補正部３３は、第２の帯域における内蔵マイク特性Ｂの左右の相関係数を求める。そして、相関係数を所定のしきい値と比較する。なお、しきい値は、０．７５としている。そして、相関係数がしきい値以上であれば、左右同じ補正パターンを選択し、しきい値未満であれば、左右異なる補正パターンを選択できるようにする。
【００８８】
まず、補正部３３が相関係数を求め、しきい値以上となっているかを判定する（Ｓ３１）。なお、相関係数の算出はいずれのタイミングで行われてもよい。例えば、図１２のステップＳ１１〜Ｓ１３のいずれで行ってもよい。また、表示部３４が相関係数を表示してもよい。
【００８９】
相関係数がしきい値以上の場合（Ｓ３１のＹＥＳ）、ホワイトノイズを左右交互に入力する（Ｓ３２）。そして、フィルタ部４１、４２が第１〜第３の補正パターンの補正フィルタを順番に切り替えて畳み込み処理を行う（Ｓ３３）。例えば、フィルタ部４１、４２がホワイトノイズに補正フィルタを畳み込む。そして、補正フィルタが畳み込まれたホワイトノイズをヘッドホン４３が出力する。ここでは、ユーザＵが３回の聴感試験を行う。
【００９０】
１回目の聴感試験では、左右のフィルタ部４１、４２が第１の補正フィルタを畳み込む。そして、ヘッドホン４３が、第１の補正フィルタが畳み込まれたホワイトノイズを左右交互に出力する。２回目の聴感試験では、左右のフィルタ部４１、４２が第２の補正フィルタを畳み込む。そして、ヘッドホン４３が第２の補正フィルタが畳み込まれたホワイトノイズを左右交互に出力する。３回目の聴感試験では、左右のフィルタ部４１、４２が第３の補正フィルタを畳み込む。そして、ヘッドホン４３が第３の補正フィルタが畳み込まれたホワイトノイズを左右交互に出力する。
【００９１】
もちろん、第１〜第３の補正フィルタを畳み込む順番は特に限定されるものではない。なお、補正パターンは自動で切り替えられてもよく、手動で切り替えられてもよい。手動切替を行う場合、例えば、ユーザＵが入力部３１の切替ボタンを押せばよい。自動切り替えを行う場合、一定の時間毎に各補正パターンでの聴感試験を切り替えればよい。
【００９２】
次に、ユーザが音質に癖のない補正パターンを選択する（Ｓ３４）。３回の聴感試験のうち、最も音質に癖がなく聴こえるときの補正パターンが選択される。具体的には、ユーザＵが入力部３１のボタンを押すことで、最適な補正パターンが入力される。入力部３１はユーザＵの入力を受け付けて、補正部３３に出力する。これにより、最適な補正パターンが選択される。なお、ユーザ入力はボタンに限らず、タッチパネル入力や音声入力などであってもよい。
【００９３】
一方、相関係数がしきい値未満の場合（Ｓ３１のＮＯ）、ホワイトノイズを片ｃｈのみホワイトノイズを入力する（Ｓ３５）。ここでは、まずＬｃｈのみホワイトノイズを入力する。そして、フィルタ部４１が第１〜第３の補正パターンの補正フィルタを順番に切り替えて畳み込み処理を行う（Ｓ３６）。例えば、フィルタ部４１がホワイトノイズに補正フィルタを畳み込む。そして、補正フィルタが畳み込まれたホワイトノイズをヘッドホン４３が出力する。ここでは、ユーザＵが３回の聴感試験を行う。
【００９４】
１回目の聴感試験では、左のフィルタ部４１が第１の補正フィルタを畳み込む。そして、ヘッドホン４３の左の出力ユニット４３Ｌが第１の補正フィルタが畳み込まれたホワイトノイズを出力する。２回目の聴感試験では、左のフィルタ部４１が第２の補正フィルタを畳み込む。そして、ヘッドホン４３の左の出力ユニット４３Ｌが第２の補正フィルタが畳み込まれたホワイトノイズを出力する。３回目の聴感試験では、左のフィルタ部４１が第３の補正フィルタを畳み込む。そして、ヘッドホン４３の左の出力ユニット４３Ｌが第３の補正フィルタが畳み込まれたホワイトノイズを出力する。もちろん、第１〜第３の補正フィルタを畳み込む順番は特に限定されるものではない。
【００９５】
次に、ユーザが音質に癖のない補正パターンを選択する（Ｓ３７）。すなわち、３回の聴感試験のうち、最も音質に癖がなく聴こえるときの補正パターンが選択される。具体的には、ユーザＵが入力部３１のボタンを押すことで、最適な補正パターンが入力される。入力部３１はユーザＵの入力を受け付けて、補正部３３に出力する。これにより、Ｌｃｈに対して最適な補正パターンが選択される。なお、ユーザ入力はボタンに限らず、タッチパネル入力や音声入力などであってもよい。
【００９６】
次に、左右の選択が終了したか否かを判定する（Ｓ３８）。ここでは、右の選択が終了していないので（Ｓ３８のＮＯ）、右Ｌｃｈのみホワイトノイズを入力する。そして、左ｃｈと同様に、右ｃｈに対しても、フィルタ部４２が第１〜第３の補正フィルタを順番に畳み込み処理を行う（Ｓ３６）。これにより、右耳に対しても３回の聴感試験が行われる。そして、ユーザＵが入力部３１を操作して、音質に癖のない補正パターンを選択する（Ｓ３７）。左右とも選択が終了すると（Ｓ３８のＹＥＳ）、選択を終了する。
【００９７】
なお、上記の説明では、左右の内蔵マイク特性Ｂの相関係数がしきい値以上である場合に、左右同じ補正パターンを選択するようにしたが、逆フィルタ（１／Ｂ）の相関係数を用いてもよい。すなわち、内蔵マイク特性Ｂ又は逆フィルタ（１／Ｂ）の左右の相関係数がしきい値以上である場合に、左右同じ補正パターンを選択するようにしてもよい。
【００９８】
また、相関係数のしきい値の値は、０．７５に限られるものでない。ヘッドホン４３に応じて適切なしきい値を設定すればよい。また、相関係数がしきい値よりも低い場合において、上記の説明では左の聴感試験を行った後、右の聴感試験を行ったが、右の聴感試験を行った後、左の聴感試験を行ってもよい。
【００９９】
（補正部３３）
次に、補正フィルタを生成するために、逆フィルタを補正する補正部３３の構成について図１７を用いて説明する。図１７は、補正部３３の一例を示すブロック図である。補正部３３は、相関係数算出部５１、ＤＦＴ部５２、振幅操作部５３、及びＩＤＦＴ部５４を備えている。
【０１００】
相関係数算出部５１には、逆フィルタ算出部３２から左右の逆フィルタ（１／Ｂ）が入力されている。相関係数算出部５１は、左右の逆フィルタ（１／Ｂ）の相関係数を算出する。相関係数算出部５１は、第２の帯域における左右の相関係数を算出する。相関係数算出部５１は、算出した相関係数を表示部３４に出力する。表示部３４は相関係数を表示する。もちろん、逆フィルタ（１／Ｂ）の相関係数ではなく、内蔵マイク特性Ｂの相関係数を算出してもよい。
【０１０１】
ＤＦＴ部５２には、逆フィルタ（１／Ｂ）が入力されている。ＤＦＴ部５２は、時間領域の逆フィルタ（１／Ｂ）を離散フーリエ変換する。これにより、周波数振幅特性と周波数位相特性が算出される。振幅操作部５３は、逆フィルタ（１／Ｂ）の振幅を操作する。上記したように、帯域に応じて、振幅を変更する。
【０１０２】
ＩＤＦＴ部５４は、振幅が変更された周波数振幅特性と位相特性とに対して逆離散フーリエ変換を行う。これにより、時間領域の補正フィルタが生成される。補正フィルタは、フィルタ部４１、フィルタ部４２に出力される。そして、この補正フィルタが上記したように再生信号に畳み込まれる。
【０１０３】
なお、上記の説明では、内蔵マイク特性Ｂ、逆フィルタ（１／Ｂ）、補正フィルタの振幅スペクトルを算出していたが、パワースペクトルを求めてもよい。そして、逆フィルタ（１／Ｂ）のパワースペクトルのパワー値を操作することで、補正フィルタを求めてもよい。すなわち、逆フィルタ（振幅値、又はパワー値）を操作することで、補正フィルタを算出するようにしてもよい。
【０１０４】
また、補正部３３における具体的な補正処理は、ヘッドホン４３毎に変えることができる。すなわち、同じタイプのヘッドホン４３では同じ補正関数や一定値を用いて、振幅を操作することができる。もちろん、異なるタイプのヘッドホン４３では、それぞれ最適な補正関数や一定値を設定すればよい。具体的には、あるタイプのヘッドホン４３において、製造者が、耳元マイク特性（Ａ）と内蔵マイク特性（Ｂ）とを測定する。そして、耳元マイク特性（Ａ）と内蔵マイク特性（Ｂ）の測定結果を分析することで、補正パターン、各帯域の上限周波数と下限周波数、各帯域における振幅の設定値、補正関数などを決定する。マイク内蔵ヘッドホンを購入したユーザに補正及び頭外定位処理を実行するコンピュータプログラムを提供する。そして、ユーザがコンピュータプログラムを実行することで、逆フィルタの補正処理、及び頭外定位処理が実行される。
【０１０５】
上記信号処理のうちの一部又は全部は、コンピュータプログラムによって実行されてもよい。上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ)、ＥＰＲＯＭ（Ｅｒａｓａｂｌｅ  ＰＲＯＭ)、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１０６】
以上、本発明者によってなされた発明を実施の形態に基づき具体的に説明したが、本発明は上記実施の形態に限られたものではなく、その要旨を逸脱しない範囲で種々変更可能であることは言うまでもない。
【符号の説明】
【０１０７】
Ｕ  ユーザ
２Ｌ  左マイク
２Ｒ  右マイク
３Ｌ  左耳
３Ｒ  右耳
１０  頭外定位処理部
１１  畳み込み演算部
１２  畳み込み演算部
２１  畳み込み演算部
２２  畳み込み演算部
２４  加算器
２５  加算器
３１  入力部
３２  逆フィルタ算出部
３３  補正部
３４  表示部
３５  測定部
４１  フィルタ部
４２  フィルタ部
４３  ヘッドホン
５１  相関係数算出部
５２  ＤＦＴ部
５３  振幅操作部
５４  ＩＤＦＴ部
１００  頭外定位処理装置
【図１】
0006561718.tif 000002
【図２】
0006561718.tif 000003
【図３】
0006561718.tif 000004
【図４】
0006561718.tif 000005
【図５】
0006561718.tif 000006
【図６】
0006561718.tif 000007
【図７】
0006561718.tif 000008
【図８】
0006561718.tif 000009
【図９】
0006561718.tif 000010
【図１０】
0006561718.tif 000011
【図１１】
0006561718.tif 000012
【図１２】
0006561718.tif 000013
【図１３】
0006561718.tif 000014
【図１４】
0006561718.tif 000015
【図１５】
0006561718.tif 000016
【図１６】
0006561718.tif 000017
【図１７】
0006561718.tif 000018